(57)【要約】【課題】移動体交換センタにより、時分割多元接続無線通信ネットワークアーキテクチャにおける電話コールの切り替えが行われる。【解決手段】移動体交換センタ内のプロトコル通信制御装置は、移動体交換センタと少なくとも１つの基地局コントローラ間で通信を制御するように適合される。移動体交換センタ内の相互接続機能は、移動体交換センタと、無線通信ネットワーク以外の別のネットワークとの間で情報を送信するように適合される。コンパクトデータサービスユニット（ＣＤＳＵ）は、前記移動体交換センタを介して切り替えられるデータコール中にグレードダウン処理手順が行われるときはいつでも、グレードダウン処理手順ネットワークで紛失した電話コールのサブチャネルの自動検出を前記移動体交換センタに行わせる。【選択図】図１
2004524742.tif 000002
【特許請求の範囲】
【請求項１】
時分割多元接続無線通信ネットワークアーキテクチャのための移動体交換センタにおいて、
前記移動体交換センタと少なくとも１つの基地局コントローラ間で通信を制御するように成すプロトコル通信制御装置と、
前記移動体交換センタと、前記無線通信ネットワーク以外の別のネットワークとの間で情報を転送するように成す相互接続機能と、
コンパクトデータサービスユニット（ＣＤＳＵ）とを有し、前記移動体交換センタを介して切り替えられるデータコール中にグレードダウン処理手順が行われるときはいつでも、前記ＣＤＳＵが、前記グレードダウン処理手順時に紛失した電話コールのサブチャネルの自動検出を前記移動体交換センタに行わせることを特徴とする移動体交換センタ。
【請求項２】
請求項１に記載の移動体交換センタにおいて、前記移動体交換センタを介して切り替えられるデータコール中にグレードダウン処理手順が行われるときはいつでも、前記移動体交換センタがサブチャネル発見処理手順を開始することを特徴とする移動体交換センタ。
【請求項３】
請求項１に記載の移動体交換センタにおいて、前記サブチャネル発見処理手順がすべての可能なサブチャネルに対するフレーム同期発見ステップを含むことを特徴とする移動体交換センタ。
【請求項４】
請求項３に記載の移動体交換センタにおいて、前記サブチャネル発見処理手順中に送信チャネルとして最下位物理サブチャネルを使用することを特徴とする移動体交換センタ。
【請求項５】
請求項４に記載の移動体交換センタにおいて、すべての使用済みサブチャネルで有効なフレーム同期が発見されたとき、前記サブチャネル発見処理手順が終了することを特徴とする移動体交換センタ。
【請求項６】
請求項５に記載の移動体交換センタにおいて、すべての使用済みサブチャネルに対する有効なフレーム同期が発見されたとき、前記送信チャネルが切り替えられることを特徴とする移動体交換センタ。
【請求項７】
請求項１に記載の移動体交換センタにおいて、未使用サブチャネルでアイドルシーケンスが送信されることを特徴とする移動体交換センタ。
【請求項８】
請求項１に記載の移動体交換センタにおいて、前記ＴＤＭＡ無線通信ネットワークがＧＳＭネットワークであることを特徴とする移動体交換センタ。
【請求項９】
時分割多元接続無線通信ネットワークアーキテクチャのための移動体交換センタにおいて、
前記移動体交換センタと少なくとも１つの基地局コントローラ間で通信を制御するように成すプロトコル通信制御装置と、
前記移動体交換センタと、前記無線通信ネットワーク以外の別のネットワークとの間で情報を転送するように成す相互接続機能と、
コンパクトデータサービスユニット（ＣＤＳＵ）とを有し、前記移動体交換センタを介して切り替えられるデータコール中にグレードアップ処理手順が行われるときはいつでも、前記ＣＤＳＵが、前記グレードアップ処理手順時に追加された電話コールのサブチャネルの自動検出を前記移動体交換センタに行わせることを特徴とする移動体交換センタ。
【請求項１０】
請求項９に記載の移動体交換センタにおいて、前記移動体交換センタを介して切り替えられるデータコール中にグレードアップ処理手順が行われるときはいつでも、前記移動体交換センタがサブチャネル発見処理手順を開始することを特徴とする移動体交換センタ。
【請求項１１】
請求項９に記載の移動体交換センタにおいて、前記サブチャネル発見処理手順がすべての可能なサブチャネルに対するフレーム同期発見ステップを含むことを特徴とする移動体交換センタ。
【請求項１２】
請求項１１に記載の移動体交換センタにおいて、前記サブチャネル発見処理手順中に送信チャネルとして最下位物理サブチャネルを使用することを特徴とする移動体交換センタ。
【請求項１３】
請求項１２に記載の移動体交換センタにおいて、すべての使用済みサブチャネルで有効なフレーム同期が発見されたとき、前記サブチャネル発見処理手順が終了することを特徴とする移動体交換センタ。
【請求項１４】
請求項１３に記載の移動体交換センタにおいて、すべての使用済みサブチャネルに対する有効なフレーム同期が発見されたとき、前記送信チャネルが切り替えられることを特徴とする移動体交換センタ。
【請求項１５】
請求項９に記載の移動体交換センタにおいて、未使用サブチャネルでアイドルシーケンスが送信されることを特徴とする移動体交換センタ。
【請求項１６】
請求項９に記載の移動体交換センタにおいて、前記ＴＤＭＡ無線通信ネットワークがＧＳＭネットワークであることを特徴とする移動体交換センタ。
【請求項１７】
ＴＤＭＡ無線通信における、移動体交換センタと基地局コントローラ間のインターフェースを介するチャネル使用状態の変化を自動的に検出する方法において、
前記移動体交換センタを介して切り替えられるデータコール中にグレードダウン処理手順が行われるときはいつでも、前記ＣＤＳＵが、前記グレードダウン処理手順時に紛失した電話コールのサブチャネルを自動的に検出するステップと、
前記移動体交換センタを介して切り替えられるデータコール中にグレードダウン処理手順が行われるときはいつでも、前記移動体交換センタがサブチャネル発見処理手順を開始するステップと、を有することを特徴とする方法。
【請求項１８】
請求項１７に記載の移動体交換センタにおいて、前記サブチャネル発見処理手順が、すべての可能なサブチャネルに対するフレーム同期発見ステップを含むことを特徴とする方法。
【請求項１９】
請求項１７に記載の方法において、前記サブチャネル発見処理手順中に送信チャネルとして最下位物理サブチャネルを使用することを特徴とする方法。
【請求項２０】
請求項１８に記載の方法において、すべての使用済みサブチャネルで有効なフレーム同期が発見されたとき、前記サブチャネル発見処理手順が終了することを特徴とする方法。
【請求項２１】
請求項２０に記載の方法において、すべての使用済みサブチャネルに対する有効なフレーム同期が発見されたとき、前記送信チャネルが切り替えられることを特徴とする方法。
【請求項２２】
請求項２１に記載の方法において、未使用サブチャネルでアイドルシーケンスが送信されることを特徴とする方法。
【請求項２３】
請求項１７に記載の方法において、前記ＴＤＭＡ無線通信ネットワークがＧＳＭネットワークであることを特徴とする方法。
【請求項２４】
ＴＤＭＡ無線通信における移動体交換センタと基地局コントローラ間で、インターフェースを介するチャネル使用状態の変化を自動的に検出する方法において、
前記移動体交換センタを介して切り替えられるデータコール中にグレードアップ処理手順が行われるときはいつでも、前記ＣＤＳＵが、前記グレードアップ処理手順時に追加された電話コールのサブチャネルを自動的に検出するステップと、
前記移動体交換センタを介して切り替えられるデータコール中にグレードアップ処理手順が行われるときはいつでも、前記移動体交換センタがサブチャネル発見処理手順を開始するステップと、を有することを特徴とする方法。
【請求項２５】
請求項２４に記載の方法において、前記サブチャネル発見処理手順がすべての可能なサブチャネルに対するフレーム同期発見ステップを含むことを特徴とする方法。
【請求項２６】
請求項２４に記載の方法において、前記サブチャネル発見処理手順中に送信チャネルとして最下位物理サブチャネルを使用することを特徴とする方法。
【請求項２７】
請求項２５に記載の方法において、すべての使用済みサブチャネルで有効なフレーム同期が発見されたとき、前記サブチャネル発見処理手順が終了することを特徴とする方法。
【請求項２８】
請求項２７に記載の方法において、すべての使用済みサブチャネルに対する有効なフレーム同期が発見されたとき、前記送信チャネルが切り替えられることを特徴とする方法。
【請求項２９】
請求項２８に記載の方法において、未使用サブチャネルでアイドルシーケンスが送信されることを特徴とする方法。
【請求項３０】
請求項１７に記載の方法において、前記ＴＤＭＡ無線通信ネットワークがＧＳＭネットワークであることを特徴とする方法。
【発明の詳細な説明】
【技術分野】
【０００１】
本発明は、一般に移動通信用広域システム（ＧＳＭ）ネットワークのような時分割多元接続（ＴＤＭＡ）無線通信ネットワークに関する。特に、本発明のいくつかの態様は、ＴＤＭＡ無線通信ネットワークにおけるマルチスロットデータコールのグレードアップまたはグレードダウンの適合化を行うための解決方法に関する。
【背景技術】
【０００２】
今日使用されている、おそらく最も優勢なタイプのＴＤＭＡ無線通信ネットワークはＧＳＭネットワークである。ＧＳＭネットワークは、いくつかの異なる無線帯域（このネットワークの周波数として周知の帯域）のいずれの無線帯域でも作動するネットワークであってもよい。そのような無線帯域として、例えば、標準９００ＭＨｚ（ヨーロッパの元来のＧＳＭネットワークのほとんどで使用されている）、１８００ＭＨｚ（イギリス連邦の個人向け通信ネットワーク／デジタル通信システムＰＣＮ／ＤＣＳのほとんどで使用されている）、及び、１９００ＭＨｚ（北米の個人向け通信システムＰＣＳのほとんどで使用されている）などがある。ＧＳＭの技術規格は欧州通信規格協会（ＥＳＴＩ）により提供されており、ウェブサイト：www.ETSI.frを介してＥＳＴＩから直接入手することができる。
【０００３】
多くのＧＳＭネットワークが、マルチモード移動局、多周波移動局あるいはマルチテクノロジ移動局の利用をサポートしていて、これらの移動局は多くの高度のサービスを行う能力を有している。ＧＳＭ移動局は、ＧＳＭ技術により提供される多くの高度のサービスをコンピュータ、ディスプレイ及びその他の技術分野の最新技術と組み合わせることも可能である。例えば、多周波ＧＳＭ電話は、標準ＧＳＭ（９００ＭＨｚ）、ＤＣＳ（１８００ＭＨｚ）またはＵＳＰＣＳ（１９００ＭＨｚ）などの様々な周波数を持つ単一ハンドセットのＧＳＭシステムで作動（ローミング）可能である。マルチモードＧＳＭ電話は、同じハンドセットによるデジタルヨーロッパコードレス電話（ＤＥＣＴ）を含む様々な無線技術へのアクセスが可能である。マルチテクノロジＧＳＭ電話によって、ハンドセットによる各種情報源（インターネットウェブラウジングなど）のアクセスと表示とが可能となる。
【０００４】
ＧＳＭネットワークの主要部分が図１に示されている。移動局は基地局と呼ばれる近くの無線塔と交信を行う。複数の基地局（ＢＳ）が、対応するアンテナシステムを介して近くの移動電話から受信した無線信号の変換を行う。基地局コントローラ（ＢＳＣ）は１以上の基地局の調整を行う。ＢＳＣは、一般に、制御用コンピュータ、データ通信設備、多重化装置及び逆多重化装置を備えている。（図を明瞭にするために図１には１つしかＢＳＣを示していない。一般的ＧＳＭネットワークは複数の基地局コントローラを備えている。）基地局コントローラは、移動電話からの電話コールを移動サービス交換センタ（ＭＳＣ）へ渡す。ＭＳＣは、これらのコールを別の移動局と接続するか、公衆電話交換網（ＰＳＴＮ）やインターネットのような別のタイプのネットワークなどへこれらのコールの経路を選定する。
【０００５】
ＭＳＣは、顧客情報を含むいくつかのデータベースとも接続され、諸サービス（音声、メッセージ通信、データ及び画像サービスなど）についての認証チェックを行い、コール特徴の処理を行う。認証センタ（ＡｕＣ）はデータベース＆処理センタであり、移動電話の加入者電話番号の有効性の確認に利用される。装置加入者電話番号レジスタ（ＥＩＲ）は認証されていない（盗難を受けた移動電話のような）移動電話のリストを保有しているデータベースである。グループコールレジスタ（ＧＣＲ）は、音声グループコールと放送コールとの設定用属性と処理用属性を保有するネットワークデータベースである。ホーム位置レジスタ（ＨＬＲ）データベースは詳細な加入者サービス申込み情報を保有する。（ＧＳＭネットワークでは、移動電話の中に、加入者を特定する加入者識別モジュール（ＳＩＭ）として周知の電子カードが含まれている。）ビジター位置レジスタ（ＶＬＲ）は、当該特定のＭＳＣの制御内で電話を使用しているアクティブ加入者に関する一時情報を保有するデータベースである。
【０００６】
ＭＳＣ内のコントローラは、基地局と、スイッチング機能と、ネットワーク間接続との調整を行う。通信コントローラはチャネルの結合または高速通信リンクからのチャネルの多重分離を行う。ＭＳＣと各ＢＳＣ間のＡ−インターフェースは時分割多重化（ＴＤＭ）パルス符号変調（ＰＣＭ）デジタル伝送システムから構成される。ＭＳＣ内の相互接続機能（ＩＷＦ）は、異種のネットワークシステム間での情報の適合化と情報の処理とに利用される。上記相互接続機能により、コンピュータネットワーク、メッセージ通信サービス及びインターネットウェブサーバのような異種のネットワーク間での互換が可能になる。インターフェースの役割では、ＩＷＦは、異なるタイプの情報のバッファ、フィルタあるいは変換を行うことができる。
【０００７】
ＧＳＭネットワークでは、時分割多元接続（ＴＤＭＡ）と周波数ホッピングとの組み合わせが利用される。１つのネットワークチャネルを予め定めた間隔のタイムスロット（ＴＳＬ）数に分割することにより複数のデータコールのサポートを１つのネットワークチャネルに行わせることが可能となる。移動電話からのコールは一般に１以上のタイムスロットに割り当てられる。これらのタイムスロットの間隔が非常に短いため、同じ無線チャネルの移動局のユーザの誰もチャネルのわずかな部分で送受信が行われていることに気づくことはない。このようにして、ネットワークの容量は標準的アナログセルラにわたって増加し、このため、１コールの送信用としてチャネル全体の割り当てが要求されることになる。
【０００８】
しかし、基地局コントローラとＭＳＣ間でのチャネルの使用状態は、新しいコールや、着信コールや、コール（特にマルチスロットコール）のグレードダウンまたはグレードアップの結果として頻繁に変化する可能性がある。マルチスロットデータコールのトラフィックチャネルは、Ａ−インターフェース内の１つのタイムスロット内で１データコール当たり４サブチャネルまで配信される。最初、サブチャネルはタイムスロット（ビット０）の最下位ビットからタイムスロットの最上位ビット（通常ビット７）へ向かって予約される。
【０００９】
ＧＳＭネットワークで導入された最近の特徴には、非透過型マルチスロットデータコールを対象とするグレードダウンまたはグレードアップが含まれる。グレードダウン時には、１以上のサブチャネルがマルチスロットデータコールから除去され、別のコールへ与えられ、それによって基地局セルでの輻輳状態が減少する。マルチスロットデータコールのデータ転送速度が低下してもマルチスロットデータコールは継続する。グレードアップ時には、さらに多くのサブチャネルがデータコールに割り当てられる。グレードダウンまたはグレードアップが行われるとき、サブチャネルのうちのいずれかが影響を受ける可能性がある。紛失したサブチャネル数を示すことができるＭＳＣ／ＩＷＦへメッセージが配信されるものの、どの特定のサブチャネルが紛失したかはこのメッセージによって示されない。紛失したサブチャネル数を示す信号をＢＳＣからＭＳＣへ送信することは不可能である。これらの紛失したサブチャネルは、当初使用済みのサブチャネルのうちのいずれかのサブチャネルである可能性がある。さらに、これらの紛失したサブチャネルを特定できない場合、ＭＳＣ／ＩＷＦが紛失したサブチャネルへデータを伝送する可能性があり、データコールパフォーマンスの大幅な低下が生じることになる。
【００１０】
上記特徴のため、チャネル使用時に非効率なチャネルの使用が生じる場合があるが、これはＧＳＭ仕様で自動的に問題を解決する方法が与えられていないことに起因する。したがって、マルチスロットデータコールからの１以上のサブチャネルの紛失と、上記紛失したサブチャネル（または残りのサブチャネル）とを自動的に検出する方法及びネットワーク装置、並びに、ＧＳＭネットワークにおけるチャネルの使用状態の修正または適合化を行う方法及びネットワーク装置に対する要望が存在する。しかし、上記方法を実現するようなシグナリングを追加すれば、実施時に、ＧＳＭ仕様の変更と、多くの検査が必然的に必要となり、多くの困難が生じることになる。
【発明の開示】
【発明が解決しようとする課題】
【００１１】
したがって、本発明の種々の実施形態は、ＧＳＭネットワークにおける移動体交換センタに関し、ＧＳＭネットワークにおけるサブチャネルの使用状態を自動的に検出し修正する方法に関するものである。
【課題を解決するための手段】
【００１２】
本発明の１つの態様では、移動体交換センタにより、時分割多元接続無線通信ネットワークアーキテクチャにおける電話コールの切り替えが行われる。移動体交換センタ内のプロトコル通信制御装置は、移動体交換センタと少なくとも１つの基地局コントローラ間での通信を制御するように適合される。移動体交換センタ内の相互接続機能は、移動体交換センタと、無線通信ネットワーク以外の別のネットワーク間で情報を送信するように適合される。コンパクトデータサービスユニット（ＣＤＳＵ）は、前記移動体交換センタを介して切り替えられるデータコール中にグレードダウン処理手順が行われるときはいつでも、グレードダウン処理手順ネットワークで紛失した電話コールのサブチャネルの自動検出を前記移動体交換センタに行わせる。
【発明を実施するための最良の形態】
【００１３】
単に例示としての添付図面を参照しながら、本発明について以下のパラグラフでさらに詳細に説明する。添付図面と関連して本発明を考察し、以下の詳細な説明を参照して同発明をより良く理解するとき、本発明及び本発明の付随する利点の多くについてのさらに完全な理解が容易に明らかなものとなる。
【００１４】
本発明は、第２世代及び第３世代のＧＳＭネットワークを含むすべてのタイプのＴＤＭＡ無線通信ネットワークに対して適用可能である。例えば、ＧＳＭネットワークには、ＧＳＭ９００、ＧＳＭ１８００、ＧＳＭ１９００（ＰＣＳ−１９００としても知られている）が含まれる。第３世代ＧＳＭネットワークには、移動通信用データネットワークサービスと個人向けマルチメディアサービスを行うために一般パケット無線サービス（ＧＰＲＳ）技術を利用し、さらに、高ビット転送レートデータサービスを行うために次世代ＧＳＭ用拡張型データ転送レート（ＥＤＧＥ）技術を利用するデータネットワークが含まれる。ＧＰＲＳ技術がＧＳＭネットワークで利用され、この技術によってユーザは、より高いデータ転送速度で接続を行うことが可能となり、無線ｅ−メールやウェブブラウジングなどのアプリケーションをさらに簡単で有用なものにすることが可能となる。ＥＤＧＥネットワークおよび／または広帯域ＣＤＭＡ（本明細書では以後３ＧＷＣＤＭＡと呼ぶ）ネットワークを利用して、データスピードをさらに上げることが可能となり、さらに、４７３ｋｂｐｓのような高いデータ転送速度を用いるビデオ用及び移動通信用マルチメディアアプリケーションが可能となる。しかし、説明を単純にするために、主として説明を第２世代または第３世代のＧＳＭネットワークと回線交換型データコールとに集中することにする。
【００１５】
ＧＳＭネットワーク用の一般的インターフェースタイプを使用して、移動電話、基地局、基地局コントローラ、移動体交換センタ（ＭＳＣ）間の接続を確立することも可能である。例えば、移動電話と基地局間での無線相互接続用として無線（Ｕｍ）インターフェースを使用してもよい。複数の基地局と基地局コントローラ間での相互接続用としてＡｂｉｓインターフェースを使用してもよい。Ａインターフェースは基地局コントローラとＭＳＣ間の相互接続に使用することも可能である。ＡインターフェースとＡｂｉｓインターフェースとは、有線回線、光ファイバまたはマイクロウェーブ無線を介するデジタルリンクで通常具現化され、これらのインターフェースではＳＳ７（信号方式＃７）接続プロトコルに従うパケットメッセージが使用される。
【００１６】
Ａ−インターフェースは、コールタイプ（単一スロットまたはマルチスロットのいずれか）に左右されずに、１つのコール用として１つのタイムスロットが通常予約されるＰＣＭインターフェースである。単一スロットでは、無線（Ｕｍ）インターフェースで単一のタイムスロットしか使用されない。マルチスロットデータコールでは、無線（Ｕｍ）インターフェースで２〜４個のタイムスロットが使用される。すべての無線インターフェースタイムスロットは、Ａ−インターフェースで１６ｋｂｉｔ／秒の容量を要求する。Ａ−インターフェースが一般に６４ｋｂｉｔ／秒のタイムスロットから構成されるため、１回の回線交換型データコールにつき４個の無線インターフェースタイムスロットの使用が可能となる。
【００１７】
図２は、例示の移動体交換センタのユニットとＡ−インターフェースとの接続を示す。移動局（図２には図示せず）からのデータはＡ−インターフェースから交換端末装置（ＥＴ）を介してグループスイッチ（ＧＳＷ）へ受信される。ＧＳＷによって、コールのタイムスロットは、コンパクトデータサービスユニット（ＣＤＳＵ）へ切り替えられる。このデータサービスユニットはＵＤＩプールまたはモデムプールのいずれかであってもよい。ＵＤＩプール／ＣＤＳＵまたはモデムプール／ＣＤＳＵはユーザデータを固定ネットワークプロトコルに変換し、このユーザデータは、ＧＳＷを介して（エコーキャンセラ（ＥＣあるいはＥＣＵ）と交換端末装置とを通って）ＰＳＴＮ／ＩＳＤＮの３．１ｋＨｚオーディオサービスへ進む。ＵＤＩプール／ＣＤＳＵまたはモデムプール／ＣＤＳＵのいずれか一方あるいは双方は、着信トラフィックと発信トラフィック（２＊４Ｍビット／秒）用の内部ＰＣＭを利用するものであってもよい。上記交換端末装置はＰＳＴＮ／ＩＳＤＮ  ＰＣＭフォーマットを元のＧ．７０３フォーマットへ変換し、次いで、このＰＣＭはもう一方の端と接続される。上記データは、（ＥＴを介して）ＩＳＤＮネットワークまたは（ＥＴを介して）ＤＭ２ネットワークへ進む場合もある。ネットワークから移動局へのデータは反対方向に進む。図３は、移動通信機器（例えば、移動電話と接続したラップトップ型コンピュータ）といくつかの異種ネットワーク間でデータ通信を行うための、上記ＣＤＳＵベースのＩＷＦプールを利用する移動通信用データの解決方法を示す。Ｘ．２５パケットネットワーク、インターネット／イントラネット、ＩＳＤＮ及びＰＳＴＮが図３に示されているが、別のネットワーク及びネットワークの組み合わせを接続したものであってもよい。
【００１８】
ＵＤＩプール／ＣＤＳＵとモデムプール／ＣＤＳＵにおけるＤＳＣＯ、ＤＳＭＡとＤＳＭ８は相互接続機能を実行する。上述のように、交換端末装置によってＧ．７０３フォーマットの外部ＰＣＭから内部ＰＣＭフォーマットへの変換が行われる。この内部ＰＣＭフォーマットはＭＳＣに一意のフォーマットであってもよく、また、ＭＳＣの内部で独占的に処理されるフォーマットであってもよい。エコーキャンセラ（ＥＣまたはＥＣＵ）は音声回路用の周知のユニットであり、データコール時にはバイパスされる。グループスイッチは、ＰＣＭとタイムスロット間での切り替えを行うスイッチングマトリックスまたはスイッチング回路網である。言い換えれば、入力ＰＣＭ／タイムスロットの組み合わせを所望の出力ＰＣＭ／タイムスロットへ切り替えることが可能となる。図２には示されていないが、（発信トラフィック用ＥＴを用いて）ＧＳＷを通じてＤＡＳＵＣプールをループしてもよい。ＩＷＣＵ／ＣＭＵ（ＩＷＣＵはサブラック（subrack）内に在る場合もあり、ＣＭＵはカートリッジ内に在る場合もある）、ＯＭＵ、ＣＬＳ及びＷＤＤは周知のコンピュータ（またはインターフェース）ユニットであり、このユニットによって、ＧＳＭデータコールと直接関連していない上記ユニットの固有機能が実行される。ＧＳＷとＭＢＵＳ間で接続される当業で周知のＢＳＵユニット（図２には図示せず）を設けてもよい。
【００１９】
通常の（単一スロットの）ＧＳＭデータコールでは、Ａ−インターフェースで１６ｋｂｉｔ／秒の容量が求められる。この容量は、データ転送用タイムスロットの２つの最下位ビットを用いて達成され、上位６ビット（２進数１の左側）は未使用のままとなる。図４を参照。使用ビットの場所は定義されており、無線チャネル数が変更されないため、Ａ−インターフェースにおける１６ｋｂｉｔ／秒データ接続はコール中同じ場所にとどまる。
【００２０】
マルチスロットデータコールでは、２〜４個のタイムスロットが無線インターフェースで使用される。Ａ−インターフェースでは、サブチャネル（ＵＭタイムスロット）毎に１６ｋｂｉｔ／秒の容量が要求される。例えば、３個の無線タイムスロットを使用する場合、Ａ−インターフェースで３＊１６ｋｂｉｔ／秒の容量がコール用として要求される。図５に示すように、インターフェース内のすべての無線（Ｕｍ）が対応づけられて２ビットのＡ−インターフェースタイムスロットになる。コール用として予約されているすべての２ビットグループは“サブチャネル”と呼ばれる。コールが開始されると、使用済みサブチャネルが最下位ビットから連続して配置される。この結果、タイムスロット番号がわかればタイムスロット内のサブチャネルの場所がわかることになる。Ａ−インターフェース内のサブチャネルは、他のサブチャネルに対する優先順位を持っていないため、優先順位では互いに対等である。
【００２１】
グレードダウン処理手順が行われる場合、１（またはそれ以上の）無線タイムスロットがコールから紛失し、次いで、１つの使用済みサブチャネルがＡ−インターフェースで紛失する。グレードアップ処理手順が行われる場合、１（またはそれ以上の）無線タイムスロットが追加してそのコールに割り当てられ、次いで、１つのサブチャネルがＡ−インターフェースで追加される。無線タイムスロットを紛失したり（グレードダウンの場合）、無線タイムスロットを割り当てたり（グレードダウンの場合）するＢＳ／ＢＳＣは無線タイムスロットの変化量についてＭＳＣ／ＩＷＦに通知を行う。しかし、ＢＳ／ＢＳＣはどの無線タイムスロットが紛失したか、あるいは、追加されたかについては示さず、新しい量のタイムスロットしか示さない。使用済み無線サブチャネルのうちのいずれかが紛失したり、追加されたりすることが起こり得る。これは、ＢＳ／ＢＳＣが新しい無線タイムスロット量のみを示すべき旨の仕様となっているＧＳＭの仕様に起因するものであるため、どの無線サブチャネルが紛失し、あるいは、どの無線サブチャネルが追加されたかを知ることはできない。
【００２２】
図６は、無線タイムスロット“ｙｙ”がグレードダウン処理手順の結果としてコールから紛失した環境を示す図である。この場合、使用済み無線タイムスロット量が２つのタイムスロットまで紛失した旨の情報がＭＳＣ／ＩＷＦに与えられる。紛失した無線タイムスロットがわからないため、どの無線タイムスロットが紛失したかを発見する方法が必要となる。
【００２３】
グレードダウン処理手順が行われるとき、１以上の使用済みサブチャネルがデータコールから紛失する。新しい量のサブチャネルを示す信号がＭＳＣ／ＩＷＦへ出力されるが、どのサブチャネルが紛失するかを示す情報は与えられない。未使用サブチャネルでは固有データは送信されず、専らアイドルシーケンス（ＦＦｈ）を含むタイムスロットしか送信されない。グレードダウン処理手順が行われ、１以上のサブチャネルが紛失するとき、トランスコーダは、サブチャネルの内容がアイドルシーケンスになるようにサブチャネルの内容を変更する。
【００２４】
ＭＳＣ／ＩＷＦは、グレードダウンまたはグレードアップイベントの信号を受信するときはいつでも、サブチャネル発見処理手順を開始する。ＭＳＣ／ＩＷＦは、すべての可能なサブチャネルからのフレーム同期をトランスコーダ方向から発見するステップを開始する。すべての使用済みサブチャネルで有効なフレーム同期が発見されたとき、このサブチャネル発見処理手順は完了する（使用済みサブチャネルの量を示す信号がＭＳＣ／ＩＷＦへ出力される）。サブチャネルは、４つの可能なサブチャネル物理位置のうちのいずれかで発見される可能性がある。
【００２５】
上記方法は、好ましくは、コンパクトデータサービスユニット（ＣＤＳＵ）などのＭＳＣ／ＩＷＦのソフトウェアで直接実行されることが望ましい。このような実施構成の場合、ＧＳＭ仕様の変更を行う必要はなく、また、基地局コントローラのソフトウェアに対する変更を行う必要もない。したがって、上記実施構成には、あるメッセージの形でＭＳＣ／ＩＷＦへ情報を送る方法に比べて欠点がある。
【００２６】
グレードダウンイベントやグレードアップイベントを示す信号がＭＳＣ／ＩＷＦへ出力され、かつ、サブチャネルの正しい場所がわからないとき、ＭＳＣ／ＩＷＦは、デフォルト値としてトランスコーダ方向で送信サブチャネルとして最下位物理サブチャネルを使用する。上記デフォルトのサブチャネルは実際の使用済みサブチャネルであってもよいし、そうでなくてもよい。ＭＳＣ／ＩＷＦは、すべての使用済みサブチャネルからの有効なフレーム同期をトランスコーダ方向から発見したとき、送信サブチャネルを正しいサブチャネルへ切り替えることができる。
【００２７】
本発明の実施形態例にしたがって、ＧＳＭネットワークのＡ−インターフェースと無線インターフェースとに基づく方法について説明したが、一般移動通信システム（ＵＭＴＳ）において、異なるデータ転送速度と、各種インターフェースとを用いて別のネットワークで本発明を実施しても差し支えない。ＩＷＦから見た場合、コール時に単一のチャネルしか存在せず、さらに、異なるデータ転送速度が各種ユーザデータ／フィルデータ転送速度により達成される。
【００２８】
上記記載は、本発明の実施形態例と考えられることについての説明であるが、本発明の種々の変更と修正とを行うことも可能であること、さらに、様々な形態と実施態様で本発明が実現可能であること、また、多数の応用例に本発明の適用が可能であり、そのような応用例のうちの代表例のみを本明細書に記載したにすぎないことは当業者であれば理解できることである。さらに、本発明の中心をなす範囲から逸脱することなく、ある特定の環境を本発明の教示に適合化するための修正を行うことも可能である。したがって、本発明は本明細書に開示された上記特定の実施形態に限定されるものではない。
【図面の簡単な説明】
【００２９】
【図１】ＧＳＭネットワークの主要構成要素を示す従来技術の例図である。
【図２】本発明の実施形態例の方法を実行するために設けられた移動体交換センタのユニットのブロック図である。
【図３】移動通信機器といくつかの異種ネットワーク間でデータ通信を行うための、ＣＤＳＵベースのＩＷＦプールを利用する移動通信用データの解決方法を示す。
【図４】ＧＳＭネットワークにおける単一スロットデータコールの一例を示す。
【図５】ＧＳＭネットワークにおける３つのサブチャネルを備えたマルチスロットデータコールの一例を示す。
【図６】データコールがグレードダウンして、元の３つのサブチャネルのうちの２つのサブチャネルが残った後の図３に図示のマルチスロットデータコールの一例を示す。
【図１】
2004524742.tif 000003
【図２】
2004524742.tif 000004
【図３】
2004524742.tif 000005
【図４】
2004524742.tif 000006
【図５】
2004524742.tif 000007
【図６】
2004524742.tif 000008
【国際公開パンフレット】
2004524742.tif 000009
2004524742.tif 000010
2004524742.tif 000011
2004524742.tif 000012
2004524742.tif 000013
2004524742.tif 000014
2004524742.tif 000015
2004524742.tif 000016
2004524742.tif 000017
2004524742.tif 000018
2004524742.tif 000019
2004524742.tif 000020
2004524742.tif 000021
2004524742.tif 000022
2004524742.tif 000023
2004524742.tif 000024
2004524742.tif 000025
2004524742.tif 000026
2004524742.tif 000027
2004524742.tif 000028
2004524742.tif 000029
2004524742.tif 000030
【国際公開パンフレット（コレクトバージョン）】
2004524742.tif 000031
2004524742.tif 000032
【国際調査報告】
2004524742.tif 000033
2004524742.tif 000034